(57)【特許請求の範囲】
【請求項１】
供給電力によって輝度が可変される実質的に同一形状を有する少なくとも２以上のLED光源と、前記LED光源をそれぞれ被覆可能な形状を有し、被覆されたLED光源の発光光をそれぞれ異なる色光に変更するカラーフィルタと、前記複数のLED光源を覆う半透明の光拡散部材と、前記LED光源の輝度を個々に設定する輝度設定手段とを備え、前記LED光源の少なくとも１つは白色光以外の光を発光するもので、白色光以外の光を発光する光源を被覆する前記カラーフィルタには、発光光を白色に変えて再発光させる蛍光体が混入されたものであることを特徴とする調色照明装置。
【請求項２】
前記カラーフィルタは、前記LED光源に対して着脱可能であることを特徴とする請求項１記載の調色照明装置。
【請求項３】
前記カラーフィルタは、オルガノシロキサンポリマーと着色材とが主構成として混合された成形体であることを特徴とする請求項１又は２記載の調色照明装置。
【請求項４】
請求項１〜３のいずれかに記載の調色照明装置において、前記輝度設定手段で設定される各光源に対する輝度の設定値を記憶する輝度記憶手段と、該輝度記憶手段に記憶された設定値に対応する電力を対応する前記LED光源に出力する出力手段とを備えたことを特徴とする調色照明装置。
【請求項５】
前記輝度設定手段は、各LED光源に対する設定値を複数組分設定可能に構成されており、前記輝度記憶手段は、前記複数組分の設定値を記憶するものであり、かつ、前記出力手段は、各組の設定値に対応する電力を各組毎に出力するものであることを特徴とする請求項４記載の調色照明装置。
【請求項６】
請求項５記載の調色照明装置において、前記各組の設定値から得られる複合色をそれぞれ参照的に表示する参照表示部を備えたことを特徴とする調色照明装置。
【請求項７】
前記輝度設定手段で設定される各LED光源に対する輝度の設定値は時間方向に可変であり、前記輝度記憶手段は、時間軸方向に前記設定値を記憶するものであり、前記出力手段は、時間方向に設定値に対応する電力を出力するものであることを特徴とする請求項４記載の調色照明装置。
【請求項８】
請求項１〜７のいずれかに記載の調色照明装置において、前記各LED光源に対する設定値のそれぞれを同じ比率で増減する複合輝度変更手段を備えたことを特徴とする調色照明装置。
【請求項９】
前記各LED光源は、同一色の光を発光するものであることを特徴とする請求項１〜８のいずれかに記載の調色照明装置。
【請求項１０】
供給電力によって輝度が可変される実質的に同一形状を有する少なくとも２以上のLED光源と、前記LED光源をそれぞれ被覆可能な形状を有し、被覆されたLED光源の発光光をそれぞれ異なる色光に変更するカラーフィルタと、前記複数のLED光源を覆う半透明の光拡散部材と、前記LED光源の輝度を個々に設定する輝度設定手段とを備え、前記LED光源の少なくとも１つは白色光以外の光を発光するもので、該白色光以外の光を発光するLED光源には発光光を白色に変えて再発光させる蛍光体が混入された樹脂製キャップが被覆されていることを特徴とする調色照明装置。
【発明の詳細な説明】
【０００１】
【発明の属する技術分野】
本発明は、ＬＥＤ光源とか蛍光体等で再発光されて可視光に変換される紫外線等可視光外の波長光を発生するＬＥＤ光源を複数個用いることによって、光源としての電気スタンドや店頭その他にセットされる電光掲示部材、電光ガイド標識等に採用可能な、所望の混合色を得る調色照明装置に関する。
【０００２】
【従来の技術】
従来、赤、緑、青の３色の光源を互いに隣接して配置し、それらの混合色で照明を行うようにした照明装置が知られている（特開平５−２１１７３号公報）。この照明装置は、３個の光源２Ｒ，２Ｇ、２Ｂとしてランプとカラーフィルタとを組み合わせて発光色を異ならせるようにした光源部が適用可能とされており、かかる各色の光源への供給電力値であって個々に調整されたものを予め記憶しておいて、点灯指示によって所望の混合色を生成し得るようにしたものである。
【０００３】
【発明が解決しようとする課題】
上記従来装置はランプとカラーフィルタとを組み合わせて３原色を得るものであるが、３個のランプの形状及びカラーフィルタの構造が如何なるものかに関しては記載されていない。また、登録内容による発光を行う照明装置であるため、利用性の点で限界がある。
【０００４】
本発明は、上記に鑑みてなされたもので、カラーフィルタの取り扱いが容易で、かつ汎用性に富んだ調色照明装置を提供することを目的とするものである。
【０００５】
【課題を解決するための手段】
請求項１記載の発明は、供給電力によって輝度が可変される実質的に同一形状を有する少なくとも２以上のLED光源（以下、単に光源とも呼ぶ）と、前記光源をそれぞれ被覆可能な形状を有し、被覆された光源の発光光をそれぞれ異なる色光に変更するカラーフィルタと、前記複数の光源を覆う半透明の光拡散部材と、前記光源の輝度を個々に設定する輝度設定手段とを備え、前記LED光源の少なくとも１つは白色光以外の光を発光するもので、白色光以外の光を発光する光源を被覆する前記カラーフィルタには、発光光を白色に変えて再発光させる蛍光体が混入されたものである。この構成によれば、同一形状の各光源に該光源の発光色を種々の色に変換するカラーフィルタを容易に装着することが可能となり作業性が高くなる。また、異なるカラーフィルタが装着された各光源を半透明拡散部材で覆った状態で、光源に電力を供給すると、各色に変換された光が拡散されて好適に加法混色される。そして、各光源に対して輝度をそれぞれ調整可能としたので、種々の合成色で発光する光源と同等な光源を安価かつ簡易な構造で得ることが可能となる。さらに、前記光源の少なくとも１つは白色光以外の光を発光するもので、前記カラーフィルタに白色光以外の光を発光する光源には発光光を白色に変えて再発光させる蛍光体が混入されたものであることを特徴とするものである。この構成によれば、このように異なる色の光源が採用されている場合でも、これらの光源の色を同一色に戻した後、所望の混合色を得るようにしたので、同一光源に拘束される必要がなくなり、同一色の光源の入手が困難な場合であっても充分適用可能となる。
【０００６】
請求項２記載の発明は、前記カラーフィルタは、前記光源に対して着脱可能であることを特徴とするものである。この構成によれば、光源は同一形状としたので、同一形状のカラーフィルタを所望する種類だけ製造、準備しておけば、必要に応じていつでも交換が可能となり、必要時あるいは適用商品に応じて所望の混合色を得ることが容易、可能となる。
【０００７】
請求項３記載の発明は、前記カラーフィルタをオルガノシロキサンポリマーと着色材とが主構成として混合された成形体としたので、光源の形状に合った装着可能なキャップ形状のものを容易に製造することが可能となる。
【０００８】
請求項４記載の発明は、前記輝度設定手段で設定される各光源に対する輝度の設定値を記憶する輝度記憶手段と、該輝度記憶手段に記憶された設定値に対応する電力を対応する前記光源に出力する出力手段とを備えたものである。この構成によれば、輝度設定手段で調整することで必要に応じて所望する混合色を得ることが可能となる一方、好ましい混合色を得る各光源の輝度内容を記憶し、登録しておくことで、調整条件をその都度設定することなく容易に再現することが可能となり、調整作業、操作を省略することができ、高い汎用性が得られる。このように、マニュアル調色と登録内容の再生調色の双方を可能とするので実用性が高くなる。
【０００９】
請求項５記載の発明は、前記輝度設定手段は、各光源に対する設定値を複数組分設定可能に構成されており、前記輝度記憶手段は、前記複数組分の設定値を記憶するものであり、かつ、前記出力手段は、各組の設定値に対応する電力を各組毎に出力するものである。この構成によれば、複数組（チャネル）分の混合色に対する設定内容を登録し、かつ各組毎にこれらを読み出して再生可能としたので、所望する混合色を必要に応じて容易、迅速に再生することが可能となる。
【００１０】
請求項６記載の発明は、請求項５記載の調色照明装置において、前記各組の設定値から得られる複合色をそれぞれ参照的に表示する参照表示部を備えたことを特徴とするものである。この構成によれば、各混合色に対応（例えば各色の輝度レベルの表示）乃至は一致する色を参照表示することで、設定登録時には調整途中の色を参照しながら調整することで所望の混合色を容易に得ることができ、調整作業が容易となる。また、再生に際しても参照色を確認することで誤りなく目的の色の再生が容易、確実に行える。
【００１１】
請求項７記載の発明は、前記輝度設定手段で設定される各光源に対する輝度の設定値は時間方向に可変であり、前記輝度記憶手段は、時間軸方向に前記設定値（態様によっては消灯期間をも含み得る）を記憶するものであり、前記出力手段は、時間方向に設定値に対応する電力を出力するものである。この構成によれば、本装置は適用される商品との関係では混合色が一定である他、時間方向に変化するような設定が可能であり、これによりより多彩な照明装置に適用することが可能となり、適用商品の幅を広げることが可能となる。
【００１２】
請求項８記載の発明は、請求項１〜７のいずれかに記載の調色照明装置において、前記各光源に対する設定値のぞれぞれを同じ比率で増減する複合輝度変更手段を備えたことを特徴とするものである。この構成によれば、混合色の全体輝度を適宜調整し得るので、周囲の明るさ等に応じて混合色事態を変更することなく、全体輝度のみ変更することが可能となる。
【００１３】
請求項９記載の発明は、前記光源は、同一色の光を発光するものであることを特徴とするものである。この構成によれば、光源としては種々の発光色を有するものであってもよいが、同じ色光、特には同一品を採用することができるので、その分コスト面、管理面で好適となる。
【００１４】
また、請求項１０記載の発明は、供給電力によって輝度が可変される実質的に同一形状を有する少なくとも２以上のLED光源と、前記光源をそれぞれ被覆可能な形状を有し、被覆された光源の発光光をそれぞれ異なる色光に変更するカラーフィルタと、前記複数の光源を覆う半透明の光拡散部材と、前記光源の輝度を個々に設定する輝度設定手段とを備え、前記光源の少なくとも１つは白色光以外の光を発光するもので、該白色光以外の光を発光する光源には発光光を白色に変えて再発光させる蛍光体が混入された樹脂製キャップが被覆されたものであることを特徴とするものである。この構成によれば、このように異なる色の光源が採用されている場合でも、これらの光源の色を同一色に戻した後、所望の混合色を得るようにしたので、同一光源に拘束される必要がなくなり、同一色の光源の入手が困難な場合であっても充分適用可能となる。
【００１５】
【発明の実施の形態】
図１は、本発明に係る調色照明装置の第１実施形態を示す装置外観図で、（ａ）は内部の概略構造を説明するための図、（ｂ）は装置本体の前面に設けられた操作パネル部及び各可変抵抗器の可動片を示す図である。
【００１６】
図１において、１は釣り鐘状をした半透明拡散カバーで、その内側に円環状の支持部材２が設置され、その周囲に所定間隔をおいて光源としての複数個の電球３Ｒ、３Ｇ、３Ｂが互いに中心方向に向けて配列されている。
【００１７】
各電球３Ｒ、３Ｇ、３Ｂは同一形状かつ同一発光色、本実施形態では白色で発光するものである。各電球３Ｒ、３Ｇ、３Ｂは、後に詳述するカラーフィルタ１３Ｒ、１３Ｇ、１３Ｂでそれぞれ被覆されている。カラーフィルタ１３Ｒは赤色をなし、カラーフィルタ１３Ｇは緑色をなし、カラーフィルタ１３Ｂは青色をなすものである。電球３Ｒは赤色のカラーフィルタ１３Ｒで被覆され、白色発光した光が赤色に変更される。電球３Ｇは緑色のカラーフィルタ１３Ｇで被覆され、白色発光した光が緑色に変更される。電球３Ｂは青のカラーフィルタ１３Ｂで被覆され、白色発光した光が青色に変更される。また、各電球３Ｒ、３Ｇ、３Ｂはそれぞれ、支持部材２は円環状体の内側であって周方向に所定間隔をおいて図略の電球取り付け部が形成されており、各電球３Ｒ、３Ｇ、３Ｂはそれぞれ対称
位置となる取り付け部に取り付けられている。特に青色を担当する電球３Ｂは他の電球３Ｒ、３Ｇからの発光輝度を相対的に合わせるべく四方位置に設けられている。
【００１８】
カラーフィルタ１３Ｒ、１３Ｇ、１３Ｂは、樹脂等の弾性材に着色材を主構成として成形された成形体であり、好ましくは、オルガノシロキサンポリマーと着色材とを主構成とし、これにそれぞれ適量の補強材、添加剤、可塑剤及び架橋剤を混合して成形したものでよい。
【００１９】
半透明拡散カバー１は内表面乃至は外表面に対して拡散表面処理が施されて実質半透明（乳白色）にされており、カラーフィル１３Ｒ、１３Ｇ、１３Ｂを透過した光がこの拡散処理された面で乱反射されることにより拡散され、好適な混合色として外方に導かれるようになされている。なお、半透明拡散カバー１は拡散表面処理によるものに限定されず、例えば乳白色を有する材料からなる樹脂体から成形されたものでもよい。また、形状も釣り鐘式に限定されず、適用される態様に応じて、筒形や錐形さらには球体でもよく、あるいは仕切りという意味では単に平面（四角形状）とか所要の曲率を有する曲面であってもよい。また、材料としてはプラスチック、ガラス、紙、布等を個々にあるいは複数で製造されたものでよい。半透明のガラスはフロスト処理、磨りガラス処理がよく、またガラス材としてはオパールを混合させ、完全拡散を図るようにすることが好ましい。
【００２０】
支持部材２の下部空間には輝度設定手段４としての可変抵抗器５〜７が外部より操作可能な状態で一部露呈して配設されている。８は電源スイッチで、商用交流電源等に接続するための差込用のプラグＰに接続されている。なお、電源は商用交流電源に限定されず、直流のバッテリーを採用したものや使用場所に応じて付設の発電機でもよい。
【００２１】
可変抵抗器５〜７は公知のように正負の電源側端子と、摘みを含む可動片１５〜１７とをそれぞれ備えたもので、正負の電源端子はそれぞれ電源スイッチを介して商用交流電源に接続されている。可動片１５〜１７と正負電源端子の一方側との間には電球が接続されており、可動片１５〜１７を操作して上記端子間の抵抗値を増減することによって、その間に接続されている電球への供給電力を変更し、電球の発光輝度を増減し得るようにしている。可変抵抗器５は赤色の２個の電球３Ｒに共通（並列）に接続され、可変抵抗器６は緑色の２個の電球３Ｇに共通に接続され、可変抵抗器７は青色の４個の電球３Ｂに共通に接続される。従って、可変抵抗器５の可動片１５を操作すると赤色の輝度を増減調整でき、可変抵抗器６の可動片１６を操作すると緑色の輝度を増減調整でき、可変抵抗器７の可動片１７を操作すると青色の輝度を増減調整できる。なお、各色の電球の個数は相対輝度を考慮して（一致するように）任意に設定することができる。
【００２２】
図１（ｂ）の操作パネルに示すように、可動片１５〜１７を、例えばレベル０〜レベル１０の間で上下方向にスライドさせることによって、各光源３Ｒ、３Ｇ、３Ｂの発光輝度を個別に変更調整し得るようになっている。各可変抵抗器５〜７は、図１（ｂ）に示すレベルが等しいときは、混合色が白色になるように、可変抵抗器５〜７の各抵抗値が選定され、あるいは他の要素、例えば電球に対してマスキングする等の微調整が施されるようにしている。各可変抵抗器５〜７は、抵抗値が等しいものを採用するのが操作性の点で好ましい。
【００２３】
次に動作について説明すると、プラグＰが電源に差し込まれ、次いで電源スイッチ８がオンされると、各可変抵抗器５〜７に電源が投入され、調整されている可動片１５〜１７のレベル位置に応じた輝度で対応する電球３Ｒ、３Ｇ、３Ｂが点灯する。この状態で、所望する混合色が得られていない場合には、各可動片１５〜１７を上下スライド（可動子が回転式の可変抵抗器にあっては回転）させることによって、対応する電球の輝度を増減させ、混合色の調整を行う。なお、図では示していないが、電源スイッチ８の直前あるいは直後に共通の可変抵抗器を介在させておけば、混合色を変更させることなく、その輝度を調整することが可能となる。
【００２４】
図２は、本発明に係る調色照明装置の第２実施形態を示す外観図である。
図２において、傘状の半透明拡散カバー２１は支持スタンド２２に取り付けられている。支持スタンド２２は電球２３Ｒ、２３Ｇ、２３Ｂを取り付ける支柱２２ａと基台部２２ｂとから構成されている。支柱は円筒状を有し、先端部に３個の電球接続部が水平方向に、好ましくは１２０度をおいて設けられ、それぞれに赤色の３個の電球２３Ｒ、２３Ｇ、２３Ｂが接続されている。電球２３Ｒは赤色のカラーフィルタ１２３Ｒで被覆され、電球２３Ｇは緑色のカラーフィルタ１２３Ｇで被覆され、電球２３Ｂは青色のカラーフィルタ１２３Ｂで被覆されている。各カラーフィルタ１２３Ｒ〜１２３Ｂは電球２３Ｒ、２３Ｇ、２３Ｂに対して着脱可能な例えば袋形状を有している。そして、支柱２２ａ内部には電球２３Ｒ、２３Ｇ、２３Ｂへ電力を供給するリード線が配線されている。支柱２２ａの下部は基台部２２ｂに固定されている。基台部２２ｂは、ほぼ半球状を有し、下部に保護用の不透明な底カバー２２ｃが形成されており、内部には空間が形成されている。
【００２５】
基台部２２ｂの内部空間には、後述する制御部２４が設けられると共に、側面適所には操作パネル部２５が設けられている。操作パネル部２５は下半部に操作部２６が配設され、上半部にはＬＣＤ（液晶表示素子）又はＬＥＤ素子等の表示素子から構成される表示部２７が配設されている。また、基台部２２ｂの内部には制御部２４で設定された輝度設定値のデータに対応した電力を電球２３Ｒ，２３Ｇ、２３Ｂに供給する出力調整部２８が設けられている。
【００２６】
図３は、第２実施形態の回路ブロック図である。
操作パネル部２５の操作部２６には、赤色に対する設定輝度を１レベルずつ増減指示するアップキー２６１Ｕ及びダウンキー２６１Ｄ、緑色に対する設定輝度を１レベルずつ増減指示するアップキー２６２Ｕ及びダウンキー２６２Ｄ、青色に対する設定輝度を１レベルずつ増減指示するアップキー２６３Ｕ及びダウンキー２６３Ｄを備えると共に、マニュアル調光モード、及び設定（登録）調光モードにおける複数の組（以下、チャネルといい、各組を特定するときはチャネルＮｏという。）分に対する輝度設定を行い得る態様においてチャネル指定モードを操作の都度、サイクリックに切り替え指定するモードセレクトスイッチ２６４、入出力指示スイッチ２６５を備える。また、操作パネル部２５には、電源スイッチ２６９が設けられており、操作毎にオン、オフが交互に切り替えられるようになっている。各種キー、スイッチは押下期間中あるいは押下動作に応じたオン信号を出力するものであり、少なくともモードセレクトスイッチ２６４は押下操作中オン信号を出力するものが採用されている。
【００２７】
表示部２７は、各色の設定輝度のレベルを参照し得るように図形や数値、例えば棒グラフ的に認識容易な態様で表示するためのＬＣＤ２７１〜ＬＣＤ２７３が設けられると共に、チャネルＮｏを表記（たとえば、３チャネル分を有する態様では，ＣＨ１，ＣＨ２，ＣＨ３のように表示）するためのＬＣＤ２７４が設けられている。ＬＣＤ２７１〜２７３は、輝度１レベルに対して表示高さが順次変わるように形成されており、例えば１０レベルのレンジを有する態様では１０段階の高さでの表示が行えるようになっている。ＬＣＤ２７４は、８字状をなす７セグメント素子が所要の桁数分用意されており、上述したように、「ＭＡＮＵＡＬ」及び登録調光モードの「ＣＨ１」，「ＣＨ２」，「ＣＨ３」の如きチャネル内容が識別可能な態様で表示し得るようになっている。なお、ＬＣＤに代えて輝度が調整可能な表示素子を用いて輝度を可変表示する態様としてもよい。
【００２８】
制御部２４は各種のキー及びスイッチからの操作信号を取り込んで、表示部２７に対する表示信号の作成、出力調整部２８への調整制御信号の出力及び設定輝度データの格納及び読み出し（出力）指示を行うものである。また、定電圧源２４０は制御部２４の各回路部の駆動に必要なレベルの電圧電源を生成し、供給するものである。
【００２９】
加減算部２４１は各色毎にアップキー２６１Ｕ，２６２Ｕ，２６３Ｕ及びダウンキー２６１Ｄ，２６２Ｄ，２６３Ｄへの操作に応じた操作信号（例えばパルス状）を受けて、アップキーからであれば現レベル値に１を加算し、ダウンキーからであれば現レベル値から１を減算する処理を施すもので、操作の回数に応じたレベル値を増減して得るものである。例えば現レベル値が「レベル６」の場合にアップキーが操作されると「レベル７」となり、逆にダウンキーが操作されると「レベル５」に変更される。
【００３０】
モード判定部２４２はセレクトスイッチ２６４の操作信号が入力される毎に設定モードを前述したようにマニュアル調光モードと、登録調光モードにおけるチャネル指定とに切り替えるもので、サイクリックの順番としては例えば、「ＭＡＮＵＡＬ」、「ＣＨ１」，「ＣＨ２」，「ＣＨ３」でよい。モード判定部２４２は指定モード信号をモード表示信号作成部２４３に出力する。チャネル表示信号作成部２４３は入力されたチャネルＮｏに対応した表示信号を作成してＬＣＤ２７４に識別可能に表示する。この表示が行われる結果、操作者は現在の指定チャネルを確認しながら所望のチャネル指定を行うことができる。また、モード判定部２４２からの指定モード信号は後述するメモリ制御部２４８にも入力される。
【００３１】
加減算部２４１は入力されたモード指定信号がマニュアル調光モードであるときは、アップキー２６１Ｕ及びダウンキー２６１Ｄ、アップキー２６２Ｕ及びダウンキー２６２Ｄ、アップキー２６３Ｕ及びダウンキー２６３Ｄからの操作信号を受け付けて加減算処理を施し、計算結果である各色のレベルデータを、通常オン状態にあるスイッチ２４９を介してレベル表示信号作成部２４４に導く。レベル表示信号作成部２４４は入力された各色の設定レベルデータに対応した高さ信号を作成し、対応するＬＣＤ２７１〜２７３に導いてレベル表示させると共に、出力調整部２８に導かれる。
【００３２】
出力調整部２８は電源スイッチ２６９を経て電源電力が入力されており、加減算部２４１からの各色の設定レベルデータに応じて各色の電球２３Ｒ，２３Ｇ、２３Ｂに対する出力電力を調整するものである。この出力調整部２８は、例えば入力電力を設定レベルデータに比例したオンデューティーで出力制御するもの、あるいは半導体素子、例えばトランジスタなどを有し、制御端電圧（ベース電圧）を可変するもの、さらには内部に、図１に示すような可変抵抗器を有し、設定レベルデータに応じて可変抵抗器の可動片を自動的にスライドすることで出力電力を調整するものが採用される。
【００３３】
また、加減算部２４１は入力されたモード指定信号が登録調光モードにおけるチャネル１であるときは、アップキー２６１Ｕ及びダウンキー２６１Ｄ、アップキー２６２Ｕ及びダウンキー２６２Ｄ、アップキー２６３Ｕ及びダウンキー２６３Ｄからの操作信号を受け付けて加減算処理を施し、計算結果である各色のレベルデータを、レベル表示信号作成部２４４に導いて入力された各色の設定レベルデータに対応した高さ信号を作成し、対応するＬＣＤ２７１〜２７３に導いてレベル表示させると共に、出力調整部２８に導かれ、この結果、電球２３Ｒ、２３Ｇ、２３Ｂは設定中のレベルに対応する輝度で点灯される。
【００３４】
また、この各色毎の設定レベルデータはメモリ２４５にも導かれる。メモリ２４５は、後述する書き込み指示信号を受けて各チャネル毎に各色の設定レベルデータを対応するチャネルの記憶領域へ書き込むようになっている。メモリ２４５はＲＡＭ、ＥＥＰＲＯＭ、フラッシュメモリ等の読み書き可能な記憶媒体である。
【００３５】
設定レベルデータの書き込みはタイマ２４６，判定部２４７及びメモリ制御部２４８により行われる。タイマ２４６は確定スイッチ２６５の操作オン時間を計時するもので、判定部２４７は計時時間が所定の時間、例えば２秒等所定数秒以下であれば、読み出し（出力）指示と判定して読み出し指示信号を出力し、逆に計時時間が上記所定の時間を越えているときは、書き込み指示と判定して書き込み指示信号を出力するものである。メモリ制御部２４８は判定部２５４７から書き込み指示信号が入力されると、判定部２４２からの選択チャネル信号とに基づいて、メモリ２４５の対応するチャネルの記憶領域を指定して設定レベルデータを書き込ませるものである。このようにして、チャネルＮｏ１に対して設定された各色のレベルデータがチャネルＮｏ１の記憶領域に書き込まれ、同様にしてチャネルＮｏ２、チャネルＮｏ３というように、本実施形態では最大３チャネルまでの各色の設定レベルデータがそれぞれ対応する記憶領域に書き込まれる。チャネル数は所望のものが採用でき、本照明装置が適用される分野に応じて所望のチャネル数を適宜設定すればよい。
【００３６】
登録調光モードにおいて登録された設定レベルデータを用いて電球の点灯を再生させる場合には、モードセレクトスイッチ２６４で再生を希望するチャネルを指定し、この状態で、確定キー２６５を所定時間未満オン操作すると、判定部２４７は読み出し指示信号をメモり制御部２４８に出力するとともに、スイッチ２４９をオフ状態にして加減算部２４１からの放置状態にある現内容が出力調整部２８に誤って導かれないようにする。この結果、メモリ２４５は指定されたチャネルの記憶領域から各色のレベルデータを出力し、出力された各色のレベル信号はレベル表示信号生成部２４４に導かれて、ＬＣＤ２７１〜２７３に参照的に表示されると共に、出力調整部２８に導かれて、入力電力に調整を施し、レベルデータに対応する電力を各電球２３Ｒ、２３Ｇ、２３Ｂに供給し、それぞれ点灯させる。
【００３７】
図４は、本発明に係る調色照明装置の第３実施形態を示す装置外観図で、（ａ）は内部の概略構成を説明するための図、（ｂ）は装置本体の前面に設けられた操作パネル部の構造を示す図である。
【００３８】
図４（ａ）において、傘状の半透明拡散カバー３１，支持スタンド３２は第２実施形態と実質的に同一である。なお、照明光を所要の方向、例えば下方へ集中させるべく、破線で示す傘状カバーが取り付けられている。また、電球３３Ｒ〜３３Ｂ及び対応するカラーフィルタ１３３Ｒ〜１３３Ｂも第２実施形態と実質的に同一のものが採用可能であり、唯、電球３３Ｒ〜３３Ｂとしては複数の豆電球をひとまとめにして形成したものでもよい。
【００３９】
基台部３２ｂの内部空間には、後述する制御部３４、出力調整部３８が設けられると共に、側面適所には操作パネル部３５が設けられている。操作パネル部３５は横長状を有し、操作部３６、表示部３７及びリモコン受信部３５１が配設されている。
【００４０】
図４（ｂ）に示す操作パネル部３５の操作部３６には、赤色に対する設定輝度を１レベルずつ増減指示するアップキー３６１Ｕ及びダウンキー３６１Ｄ、緑色に対する設定輝度を１レベルずつ増減指示するアップキー３６２Ｕ及びダウンキー３６２Ｄ、青色に対する設定輝度を１レベルずつ増減指示するアップキー３６３Ｕ及びダウンキー３６３Ｄを備えると共に、設定された輝度レベルの登録（書き込み）及び読出のための各チャネル毎の入出力指示スイッチ３６５を備える。
【００４１】
３６４１〜３６４３は設定輝度データの登録に際してのチャネル指示及び登録輝度データの読み出し（出力）指示を行う際のチャネルチャネルスイッチである。登録チャネル指示は予め設定された所定の時間以上オン動作することであり、読み出し指示は所定の時間未満でオン操作することである。チャネルスイッチ３６４１は輝度データの登録先としてチャネルＮｏ１を指定する場合に、あるいはチャネルＮｏ１から読み出しする場合に、チャネルスイッチ３６４２は輝度データの登録先としてチャネルＮｏ２を指定する場合に、あるいはチャネルＮｏ２から読み出しする場合に、チャネルスイッチ３６４３は輝度データの登録先としてチャネルＮｏ３を指定する場合に、あるいはチャネルＮｏ３から読み出しする場合に操作される。登録スイッチ３６４４は実際の登録を指示するものである。
【００４２】
また、本実施形態では、各色に対する輝度レベルが設定された後、混合色の発光輝度に対する増減を指示し得るアップキー３６６Ｕ、ダウンキー３６６Ｄも備えている。さらに、操作パネル部３５には、電源スイッチ３６９が設けられている。このアップキー３６６Ｕ、ダウンキー３６６Ｄが操作される毎に、加減算部３４１内の各色の輝度レベルデータが等しく１だけアップあるいはダウンするようになされている。
【００４３】
表示部３７は、第２実施形態とは異なり、各チャネルに対する設定輝度から得られる混合色を参照的に表示する面状の、例えばカラーＬＣＤ３７１〜３７３が設けられている。カラーＬＣＤ３７１はチャネルスイッチ３６４１の設定輝度データに基づいて表示を行わせるものであり、カラーＬＣＤ３７２はチャネルスイッチ３６４２の設定輝度データに基づいて表示を行わせるものであり、カラーＬＣＤ３７３はチャネルスイッチ３６４３の設定輝度データに基づいて表示を行わせるものである。カラーＬＣＤ３７１〜３７３は本実施形態では、カラーフィルタからの発光色と同一色を有する赤、緑及び青色の表示セグメントがドット状等の所定の配列で構成されており、点灯させる表示セグメントによって合成色を作成するようにしている。基本的には、所要数の合成色が再生し得る表示装置であればＬＣＤに限定されず、ＬＥＤやプラズマディスプレイでもよい。また、好ましくは輝度方向に対する表示が可能なものであってもよい。
【００４４】
図５は、第３実施形態の回路ブロック図である。
【００４５】
図５において、登録チャネル指示か読み出し（再生）指示かを判断するためのチャネルスイッチ３６４１〜３６４３のオン時間を計時するタイマ３６４及び登録チャネル指示（予め設定した所定の時間以上オンの場合）か読み出し指示（上記所定の時間未満の場合）かの判断を行う判定部３４７は、チャネルスイッチからのオン操作時間をいずれのチャネルスイッチからの操作信号かを識別しながら、操作信号が登録シャネル指示か読み出し指示かを判断可能になっており、判定部３４７はチャネルデータと共に、登録チャネル指示、読み出し指示の一方の指示信号をメモリ制御部３４８、合成信号生成部３４４に出力するようになっている。なお、登録チャネル指示の場合には、メモリ制御部３４８は所定の時間以上のオン操作で、登録すべきチャネルの指示（すなわち参照表示ＬＣＤの選定）と登録モード中におけるスイッチ３４９の切り替えを行い、この登録モード中に登録スイッチ３６４４をオン操作することにより生成される書き込み指示信号によりメモり３４５に指定チャネルに対して設定された輝度レベルデータが書き込まれるようになっている。
【００４６】
また、合成信号生成部３４４は赤、緑及び青色データを各色に対応するＬＣＤに導くもので、輝度データ（Ｔ）でレベル補正を施された各色の輝度信号を出力するようになっている。
【００４７】
更に、操作パネル部３５の適所にはリモコン受信部３５１が設けられている。このリモコン受信部３５１は公知のリモコン送信機（図略）からの送信信号を受信し、デコードして本装置に適応させるものである。リモコン送信機は、赤外線式や超音波式いずれのタイプでもよく、信号の信頼性を確保するべく好ましくはパルス変調方式が採用される。この図外のリモコン送信機はパネル操作部３５上の操作部３６のキー３６１Ｕ〜３６３Ｄ、スイッチ３６４１〜３６４４に対応する指示スイッチ、キー等を備えると共に、操作されたキー、スイッチの識別信号を所定のコード信号に変調（エンコード）して赤外ＬＥＤや超音波振動子から所要の指向幅を有して、操作時間に対応して送信するように構成されたものである。
【００４８】
リモコン受信部３５１は赤外光あるいは超音波を受信する受光素子や超音波振動子からなる受信部３５１ａを、図４に示すように操作パネル３５の表面に露呈して設けると共に、受信したパルス信号から操作されたスイッチ、キーを認識するべく受信信号をデコードするデコード部３５１ｂを備える。判定部３５１ｃは操作パネル部３５に代えてリモコン送信機側からの操作指示であることを制御部３４に認識させて、キー３６１Ｕ〜３６３Ｄ、スイッチ３６４１〜３６４４からの入力に代えてデコード部３５１ｂからの入力を受け付けるためのものである。例えば操作部３６とデコード部３５１ｂの入力ラインに切り替えスイッチなどが介設されて、判定部３５１ｃからリモコン入力有りの判定結果が出力された時はこの図略の切り替えスイッチをリモコン受信機３５１側に切り替えるようにすればよい。
【００４９】
その他の構成に関しては、図３に示す第２実施形態の対応する構成の機能と、基本的に同じである。
【００５０】
第３実施形態の装置における動作について説明すると、プラグＰを電源に投入した状態で、電源スイッチ３６９をオンにする。次いで、設定を行うのか、既に登録された内容で照明の再生を行わせるかによって、以下のように操作内容が異なる。
【００５１】
すなわち、既に登録された内容で照明を行わせる場合には、チャネルスイッチ３６４１〜３６４３のうちの所望するチャネルスイッチを所定の時間未満だけオン操作する。判定部３４７はこのオン時間を計時したタイマ３４６からの信号を受けて読み出しモード指示と判断し、該当するチャネル指示データと共に読み出し指示信号を対応するＬＣＤ選定のために合成信号生成部３４４に出力し、また、メモリ制御部３４８に出力し、さらに、読み出し指示信号を加減算部３４１及びスイッチ３４９に導いて加減算部３４１の出力を禁止すると共にスイッチ３４９を導通側に切り替える。メモリ制御部３４８はチャネル指示データと読み出し指示信号に基づいてメモり３４５内の指定されたチャネル記憶領域から赤、緑、青色の設定輝度データをスイッチ３４９を経て出力調整部３８に出力する。この結果、出力調整部３８は電源電力を設定輝度データに基づいて電力調整を施し、各電球３３Ｒ〜３３Ｂに調整後の電力を供給する。
【００５２】
一方、設定を行う場合、まず設定内容を登録する場合には、前述したように、まず、チャネルスイッチ３６４１〜３６４３のうちから所望のスイッチを所定時間以上オン操作して、設定中の混合色を参照表示するカラーＬＣＤを指定、すなわち設定操作後の輝度データの登録先となるチャネルを指定する。
【００５３】
なお、登録しないマニュアル調光モードの場合には、チャネルスイッチをオン操作することなく、操作部３６のアップ、ダウンキーに対するマニュアル操作の結果が、そのまま加減算部３４１からスイッチ３４９を経て出力調整部３８に導かれることにより、電球３３Ｒ〜３３ｂの点灯表示が行われる。このマニュアル調光モードの場合、加減算部３４１の直前の設定値がそのまま出力調整部３８に導かれて、いきなり高輝度で点灯表示が行われるような不具合を防止するべく、電源スイッチ３６９が抜かれる毎に加減算部３４１の値が０にリセットされるような図略のリセット手段が設けられている。
【００５４】
さて、登録を行う態様では、続いて操作部３６内の各色のアップ、ダウンキーが操作されることにより得られた各色の輝度データに基づいて、表示部３７内の指定チャネルに対応するＬＣＤに合成色表示が行われると共に、スイッチ３４９を開放して設定途中の内容が出力調整部３８に出力しない（電球を点灯させない）ようにしている。なお、設定途中の内容を出力調整部３８に出力して電球に調光中における混合色表示を併せて行わせるようにしてもよい。
【００５５】
続いて、設定輝度データの登録を行うに当たっては、指定チャネルのチャネルスイッチを所定の時間以上オンすることにより行われる。好ましくは、登録の確認のために、該当するＬＣＤに、点滅や消灯の如き表示変化を与えたり、あるいは別途音声出力部を付設しておいて、メモリ制御部３４８からの書き込み指示信号に応答して、「登録完了」などの音声ガイドやガイドブザー音の発生を行わせる等のチャネル報知手段を持たせてもよい。
【００５６】
かかる操作によって、第３実施形態では、チャネルＮｏ１〜Ｎｏ３に対して調光データの設定登録が可能となる。既に登録した内容を変更する際には、削除しても良いチャネルを指定して更新させることが可能であり、このように更新登録を許可することにより、必要以上のチャネル数を準備するまでもなく、実質的に多種類の調光データの設定登録が可能となる。
【００５７】
図６は、本発明に係る調色照明装置の第４実施形態を示す装置外観図で、（ａ）は配置の概略構成を説明するための図、（ｂ）は操作パネル部の構造を示す図である。
【００５８】
第４実施例に示す調色照明装置は、図６（ａ）に示すように天井に３個（ユニット１〜３）配置される態様を有するものであり、操作パネル部４５は壁面であって操作容易な所要の高さ位置に配設されている。また、各半透明拡散カバー４１の内部には第１〜第３実施例で示した電球及びカラーフィルタと同様な構造のものが配設されている。
【００５９】
図６（ｂ）に示す操作パネル部４５は基本的には操作パネル３５と同様であり、かつ内部の回路ブロックも図５に示す第３実施形態と同様の構成を有する。但し、操作パネル４５にはユニット１〜３を選択する選択スイッチ４９１〜４９３が設けられている。各選択スイッチはオン、オフ部を有し、一方を択一的に押下状態にすることができるものである。そして、オン、オフ部それぞれに対応してＬＥＤ等の発光素子が内蔵されており、押下操作された側の発光素子が点灯するように構成され、これによっていずれのユニット（いずれか１個〜３個全て）がオン操作状態にあるかが認識容易にされている。
【００６０】
また、設定輝度データを格納するメモリはユニットに対応して設けておき（本実施形態では３個、あるいは１個のメモリの領域を３つに分割して行う）、データ格納に際しては選択されたユニットに対応するメモリにそれぞれ書き込まれるように、選択スイッチ４９１，４９２，４９３への操作に連動してユニット切り替えスイッチを作動させ、あるいはチップセレクト信号を生成して対応するメモリに書き込みを、さらには読み出しを行わせるようにすればよい。なお、複数のユニットに対して出力（点灯）を行わせる場合には、各出力データを、同様に対応して設けられている出力調整部に導くようにすればよい。あるいは、制御部を各ユニット毎に設ける態様としてもよい。
【００６１】
さらに、本発明は以下の変形態様も実施可能である。
【００６２】
（１）第２〜第４実施形態では、登録タイミングでメモり内容を更新するようにしたが、登録モード中は所定時間間隔で絶えず加減算部からの出力内容の更新を繰り返し、最終時点での登録指示操作で、あるいは加減算部の値が変更しなくなった時点で自動的に更新終了、すなわちデータの格納終了とするようにしてもよい、この場合、メモリに対して書き込みと読み出し（出力）を交互に行うサイクルスチール方式を採用することで、設定動作中に、直前の設定内容に応じた混合色をＬＣＤ等に参照表示することが可能となり、新たな混合色の設定に際して便利となる。
【００６３】
（２）また、本発明は、３個の裸電球に対して赤、緑、青の３色のカラーフィルタを採用したものに限定されず、例えば８個の電球を用いてそれぞれに赤、橙、黄、黄緑、緑、青、藍、紫色あるいは更に電球を設けて上記色の中間色のカラーフィルタを採用し、全電球の点灯状態から順次１個、あるいは指定色に対する電球を消灯させることによって、種々の照明色光を得ることが可能となる。この場合には、第２〜第４実施形態に示すアップ、ダウンキーに代えて点灯、消灯を個々に指示する色指定キーを設けておけばよい。
【００６４】
なお、本発明のカラーフィルタとしての被覆材に用いる樹脂としては、例えばアクリル樹脂、ポリカーボネート樹脂、ポリスチレン樹脂、ポリエステル樹脂、エポキシ樹脂、ポリプロピレン樹脂、ポリエチレン樹脂、シリコーン系エラストマー、ポリスチレン系熱可塑性エラストマー、ポリオレフイン系熱可塑性エラストマー、ポリウレタン系熱可塑性エラストマー等の樹脂を使用することができ、この中でもシリコーン系エラストマー等が好適に使用される。例えば、赤色のカラーフィルタ（キャップ）はオルガノシロキサン及び補強材として添加剤、可塑剤の配合された市販のバチとして、商品名ＳＨ８５１Ｕ（東レ、ダウコーニング社製）を１００重量部に、２．５ジメチル２．５ジヘキサンを０．５重量部配合し、ベンガラを０．５重量部配合し、オープンロールミキサーで混練りして成型用材料とする、それをキャップ状の金型で、１７０℃出１０分間加熱し、加圧力を１００ｋｇｆ/c〓で成形加硫したものが採用される。
【００６５】
そして、これに混合される赤系着色材として、ベンガラ、カドミウムレッド、鉛丹、硫化水銀カドミウム、パーマネントレッド４Ｒ、リソールレッド、ピラゾロンレッド、ウオッチングレッド等を用いることができる。
【００６６】
また、緑系着色材として、クロムグリーン、酸化クロム、ピグメントグリーンＢ、マラカイトグリーンレーキ、ファナルイエローグリーンＧ等を用いることができる。
【００６７】
また、青系着色材として、インジゴ、コバルトブルー、フタロシアニンブルー、無金属フタロシアニンブルー、フタロシアニンブルー部分塩素化物、ファーストスカイブルー、インダスレンブルーＢＣ等を用いることができる。
【００６８】
さらに、シリコーンゴムとしては、上記の他に、例えばＫＥ９５１Ｕ（信越化学社製）、ＴＳＥ−２２１−５Ｕ（東芝社製）等を採用することが可能である。
【００６９】
（３）光源としては電球に代えてＬＥＤや蛍光灯、発光ダイオードでもよく、さらに可視光を発光する光源であれば特に限定されない。カラーフィルタの形状は電球、ＬＥＤ、蛍光灯、発光ダイオードその他の光源の外形に容易に着脱する形状に成形して製造することが容易であり、かつそのような形状で製造されたものが採用され、電球の劣化、寿命に際して、カラーフィルタを取り外して交換後の新たな電球に嵌合装着することが容易可能となり、カラーフィルタの有効利用が図れる。
【００７０】
（４）また、ＬＥＤを採用する態様では、公知のいずれのＬＥＤでも使用することができ、例えばＧａ：ＺｎＯ赤色ＬＥＤ、ＧａＰ：Ｎ緑色ＬＥＤ、ＧａＡｓＰ系赤色ＬＥＤ、ＧａＡｓＰ系橙色・黄色ＬＥＤ、ＧａＡｌＡｓ系ＬＥＤ、ＩｎＧａＡｌＰ系橙・黄色ＬＥＤ、ＧａＮ系青色ＬＥＤ、ＳｉＣ青色ＬＥＤ、II−VI族青色ＬＥＤ等を挙げることができる。
【００７１】
（５）また、本実施形態では、設定輝度レベルデータとして時間方向に一定値のもので説明したが、本発明はこれに限定されず、適用される商品との関係、適用時等を考慮して、時間方向に設定値が個々に（すなわち色が）、あるいは全体輝度として、又はこれらの両者を合成した形で輝度、混合色が変化するようにしてもよい。例えば、設定値に対して時間方向に変動するレベル規制信号を自動的にあるいは予め内蔵された関数（正弦波、三角形状、台形、パルス状波、又はより複雑な波形を生成する関数信号発生手段を備えたり、さらにはランダム信号発生手段を備え、該手段からの、その都度ランダムに形成される不規則波）を利用してレベル制限を行わせる信号を再生時に出力調整部２８，３８に出力するようにし、該出力調整部２８，３８にレベル制限動作機能（例えばパワートランジスタを設け、そのベース電圧を制御する方式）を付加させて行えばよい。あるいはメモリ２４５，３４５に時間方向の書き込みアドレス（メモリ容量）を準備しておいて、設定登録時に書き込ませるようにしてもよく、この場合、図略の関数指定キー等で所望する関数を指定し得るようにしておき、メモリ制御部２４８，３４８は指定された関数に従って、アップ、ダウンキーで調整された各光源に対する設定輝度レベルに対しメモリ２４５，３４５に書き込ませるようにすればよい。読み出し時には、書き込まれたアドレスに従って順次出力調整部２８，３８に読み出すことで再生することができる。
【００７２】
（６）また、本実施形態では、基本的に同一形状で例えば白色光の電球を採用して説明したが、本発明はこれに限定されず、発光源として一部又は全てが発光色の異なるものを採用することが可能である。例えば、光源の少なくとも１つは白色光以外の光を発光するものを採用し、白色光以外の光を発光する他の光源には発光光を白色に変えて再発光させる蛍光体が混入された樹脂製キャップを被覆して一旦白色に変更した後、本カラーフィルタを被覆させればよい。このようにすれば、採用可能な光源の種類を広範囲にすることができて、汎用性に富んだものとすることが可能となる。
【００７３】
あるいは、基準色を白色とする必要もなく、例えば赤色のＬＥＤ、発光ダイオードを全て採用する場合には、１個を除く分に、白色に変えて再発光させる蛍光体が混入された樹脂製キャップを被覆して一旦白色に変更した後、本カラーフィルタを被覆させればよい。あるいは赤色から直接緑、青色に再発光させる蛍光体が混入された樹脂製キャップをカラーフィルタとして被覆するようにしてもよい。
【００７４】
すなわち再発光用のキャップ又は被覆層を装着又は形成して発光色を白色に調整すれば、着色剤を使用することによって所望の発光色を得ることができる。この場合、着色剤を、キャップ又は被覆層中に蛍光物質と共に含有させてもよいし、着色剤を含有させた別のキャップ又は被覆層をその上にさらに装着又は形成してもよい。
【００７５】
着色剤としては、例えば、黄色顔料として、黄鉛、亜鉛黄、カドミウムイエロー、黄色酸化鉄、ミネラルファストイエロー、ニッケルチタンイエロー、ネーブルスイエロー、ナフトールイエローＳ、ハンザイエローＧ、ハンザイエロー１０Ｇ、ベンジジンイエローＧ、ベンジジンイエローＧＲ、キノリンイエローレーキ、パーマンネントイエローＮＣＧ、タートラジンレーキ；橙色顔料として、赤口黄鉛、モリブテンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫ；赤色顔料として、縮合アゾ顔料、ベンガラ、カドミウムレッド、鉛丹、硫化水銀カドミウム、パーマネントレッド４Ｒ、リソールレッド、ピラゾロンレッド、ウオッチングレッドカルシウム塩、レーキレッドＤ、ブリリアントカーミン６Ｂ、エオシンレーキ、ローダミンレーキＢ、アリザリンレーキ、ブリリアントカーミン３Ｂ；紫色顔料として、マンガン紫、ファストバイオレットＢ、メチルバイオレットレーキ；青色顔料として、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ；緑色顔料として、クロムグリーン、酸化クロム、ピグメントグリーンＢ、マラカイトグリーンレーキ、ファナルイエローグリーンＧ；白色顔料として、亜鉛華、酸化チタン、アンチモン白、硫化亜鉛；白色顔料として、バライト粉、炭酸バリウム、クレー、シリカ、ホワイトカーボン、タルク、アルミナホワイト等を使用できる。上記着色剤は、結着樹脂１００重量部当り０．００１乃至０．１重量部、特に０．０１乃至０．０５重量部の範囲で使用するのがよい。
【００７６】
かかるキャップ、被覆層を採用することによって、発光色の微調整を行うことができ、例えば製造バラツキによって生じた許容範囲外のＬＥＤを許容範囲内の色の変換することができる。製造例３４を参照して、例えば青色ＬＥＤに流す電流が５ｍＡのときにはＹＡＧ蛍光体を１０．０部、同様に電流が１０ｍＡのときには１０．５部、電流が２０ｍＡのときには１１．０部、電流が３０ｍＡのときには１１．５部をそれぞれ含有する蛍光カラーキャップをＬＥＤに装着しさえすれば、色度座標でｘ＝０．２８８６〜０．３０４６、ｙ＝０．３１０２〜０．３１６５の範囲の要望通りの発光色を得ることができる。
【００７７】
製造例１
シリコーンゴムに蛍光物質としてＮＫＰ−８３０６（蛍光体名、日本蛍光化学社製）を１．５部分散させ、金型と加熱プレスを用いて肉厚０．５ｍｍの蛍光カラーキャップを成型した。また青色発光ダイオードとしてはＣＩＥ（国際照明委員会）標準表色系：Ｔｈｅ  ＩＣＩ  ｓｔａｎｄａｒｄ  ｃｏｌｏｒｉｍｅｔｒｉｃ  ｓｙｓｔｅｍ（以下、色度座標と呼称する）に従って、色度座標でｘ＝０．１４９０、ｙ＝０．１２０３の青色発光ダイオードを用いた。この青色発光ダイオードに前記の蛍光カラーキャップを装着して発光させたところ、色度座標でｘ＝０．３９１２、ｙ＝０．４３２２の黄味かかった拡散白色光が観測された。
【００７８】
上記の場合、青色発光ダイオード単体の輝度は３２ｃｄ／ｍ2であったが、本発明による蛍光カラーキャップを装着し色調を変化させることで輝度が６６ｃｄ／ｍ2と高められ、発光ダイオード特有の指向性が低減され、発光色は蛍光カラーキャップの全面から拡散された。
【００７９】
製造例２
蛍光物質としてＮＫＰ−８３０６（蛍光体名、日本蛍光化学社製）の添加量を１．２５部、１．０７部、０．９４部、０．８３部および０．７５部と変化させて、シリコーンゴムに分散し、実施例１と同様の金型と加熱プレスを用いて肉厚０．５ｍｍの蛍光カラーキャップをそれぞれ成型した。これらの蛍光カラーキャップを色度座標でｘ＝０．１４９０、ｙ＝０．１２０３の青色発光ダイオードに装着して発光させたところ、下記表１に示す拡散発光色の結果が得られた。
【００８０】
【表１】
0004286935.tif 000002
【００８１】
表１の結果から明らかなように、蛍光物質の添加量により発光色をコントロールできることが確認された。特に上記の場合において、蛍光物質を１．２５部分散させた時の発光色が、最も高い輝度７０ｃｄ／ｍ２であることが観測された。
【００８２】
なお、蛍光カラーキャップの肉厚は均一であっても良く、また部分的に肉厚を変化させて発光色を拡散、または色調を変えることも可能であり、目的に応じた設計をすることができる。
【００８３】
製造例３
蛍光物質としてＮＫＰ−８３０６（蛍光体名、日本蛍光化学社製）を用い、これと添加剤としての酸化ガドリニウムとを１０：２の割合で混合した。この混合物の０．７５部をシリコーンゴムに分散させ、金型と加熱プレスを用いて肉厚０．５ｍｍの蛍光カラーキャップを成型した。このカラーキャップを発光色が色度座標でｘ＝０．１４９０、ｙ＝０．１２０３の青色発光ダイオードに装着させたところ、色度座標でｘ＝０．２９７１、ｙ＝０．３４８５の青みを帯びた拡散白色光が観測された。
【００８４】
製造例４
蛍光物質としてＮＫＰ−８３０６（蛍光体名、日本蛍光化学社製）を用い、これと添加剤としての酸化ガドリニウムとを１０：４の割合で混合した。この混合物の０．７５部をシリコーンゴムに分散させ、金型と加熱プレスを用いて肉厚０．５ｍｍの蛍光カラーキャップを成型した。このカラーキャップを発光色が色度座標でｘ＝０．１４９０、ｙ＝０．１２０３の青色発光ダイオードに装着させたところ、色度座標でｘ＝０．２９８５、ｙ＝０．３５２９の青みを帯びた拡散白色光が観測された。
【００８５】
製造例５
蛍光物質としてＮＫＰ−８３０６（蛍光体名、日本蛍光化学社製）を用い、これと添加剤としての酸化ガドリニウムとを１０：６の割合で混合した。この混合物の０．７５部をシリコーンゴムに分散させ、金型と加熱プレスを用いて肉厚０．５ｍｍの蛍光カラーキャップを成型した。このカラーキャップを発光色が色度座標でｘ＝０．１４９０、ｙ＝０．１２０３の青色発光ダイオードに装着させたところ、色度座標でｘ＝０．３０９０、ｙ＝０．３６７９の  拡散白光色が観測された。
【００８６】
製造例６
蛍光物質としてＮＫＰ−８３０６（蛍光体名、日本蛍光化学社製）を用い、これと添加剤としての酸化ガドリニウムとを１０：８の割合で混合した。この混合物の０．７５部をシリコーンゴムに分散させ、金型と加熱プレスを用いて肉厚０．５ｍｍの蛍光カラーキャップを成型した。このカラーキャップを発光色が色度座標でｘ＝０．１４９０、ｙ＝０．１２０３の青色発光ダイオードに装着させたところ、色度座標でｘ＝０．３１３８、ｙ＝０．３７３４の拡散白光色が観測された。
【００８７】
製造例７
蛍光物質としてＮＫＰ−８３０６（蛍光体名、日本蛍光化学社製）を用い、これと添加剤としての酸化ガドリニウムとを１０：１０の割合で混合した。この混合物の０．７５部をシリコーンゴムに分散させ、金型と加熱プレスを用いて肉厚０．５ｍｍの蛍光カラーキャップを成型した。このカラーキャップを発光色が色度座標でｘ＝０．１４９０、ｙ＝０．１２０３の青色発光ダイオードに装着させたところ、色度座標でｘ＝０．３２５４、ｙ＝０．３８９０の拡散白光色が観測された。
【００８８】
以上に説明した実施例３乃至実施例７の発光色の結果から明らかなように、酸化カドリニウムの添加量の増加により、青色発光ダイオードの波長をより効果的に励起させることが確認された。
【００８９】
製造例８
蛍光物質としてＳｔｅｌｌａｒＧｒｅｅｎ  Ｅ−８（蛍光体名、Ｓｗａｄａ社製）を用い、これをシリコーンゴムに５部分散させ、金型と加熱プレスを用いて肉厚０．５ｍｍの蛍光カラーキャップを成型した。このカラーキャップを発光色が色度座標でｘ＝０．１４９０、ｙ＝０．１２０３の青色発光ダイオードに装着したところ、色度座標でｘ＝０．１９３５、ｙ＝０．７１７９の鮮明な緑色の拡散発光色が観測された。
【００９０】
製造例９
蛍光物質としてＳｔｅｌｌａｒＧｒｅｅｎ  Ｅ−８（蛍光体名、Ｓｗａｄａ社製）を用い、これをシリコーンゴムに１．５部分散させ、金型と加熱プレスを用いて肉厚０．５ｍｍの蛍光カラーキャップを成型した。このカラーキャップを発光色が色度座標でｘ＝０．１４９０、ｙ＝０．１２０３の青色発光ダイオードに装着したところ、色度座標でｘ＝０．１９２８、ｙ＝０．５２４４の青緑の拡散発光色が観測された。
【００９１】
製造例１０
蛍光物質としてＢｌａｚｅ  Ｅ−５（蛍光体名、Ｓｗａｄａ社製）を用い、これをシリコーンゴムに５部分散させ、金型と加熱プレスを用いて、肉厚０．５ｍｍの蛍光カラーキャップを成型した。このカラーキャップを発光色が色度座標でｘ＝０．１４９０、ｙ＝０．１２０３の青色発光ダイオードに装着したところ、色度座標でｘ＝０．６５０５、ｙ＝０．３４１４の赤色の拡散発光色が確認された。
【００９２】
製造例１１
蛍光物質としてＬｕｎａｒｙＹｅｌｌｏｗ  Ｅ−２７（蛍光体名、Ｓｗａｄａ社製）を用い、シリコーンゴムに５部分散させ、金型と加熱プレスを用いて、肉厚０．５ｍｍの蛍光カラーキャップを成型した。このカラーキャップを発光色が色度座標でｘ＝０．１４９０、ｙ＝０．１２０３の青色発光ダイオードに装着したところ、色度座標でｘ＝０．３４７５、ｙ＝０．６２３１の黄緑の拡散発光色が確認された。
【００９３】
製造例１２
蛍光物質としてＮＫＰ−８３０４（蛍光体名、日本蛍光化学社製）を用い、シリコーンゴムに１．５部分散させ、金型と加熱プレスを用いて肉厚０．５ｍｍの蛍光カラーキャップを成型した。このカラーキャップを発光色が、色度座標でｘ＝０．１４９０、ｙ＝０．１２０３の青色発光ダイオードに装着したところ、色座標でｘ＝０．５１６５、ｙ＝０．３５３６のピンクの拡散発光色が確認された。
【００９４】
製造例１３
蛍光物質としてＮＫＰ−８３０１（蛍光体名、日本蛍光化学社製）を用い、シリコーンゴムに１．５部分散させ、金型と加熱プレスを用いて肉厚０．５ｍｍの蛍光カラーキャップを成型した。このカラーキャップを発光色が色度座標でｘ＝０．１４９０、ｙ＝０．１２０３の青色発光ダイオードに装着したところ、色度座標でｘ＝０．４７３０、ｙ＝０．２８９０の赤紫の拡散発光色が確認された。
【００９５】
製造例１４
蛍光物質としてＮＫＰ−８３０１（蛍光体名、日本蛍光化学社製）を用い、シリコーンゴムに１．５部分散させ、金型と加熱プレスを用いて肉厚０．５ｍｍの蛍光カラーキャップを成型した。このカラーキャップを発光色が色度座標でｘ＝０．４６８６、ｙ＝０．５２８２の緑色発光ダイオードに装着したところ、色度座標でｘ＝０．５７２０、ｙ＝０．４２５３の拡散橙色光が確認された。
【００９６】
製造例１５
蛍光物質としてＮＰＫ−８３０４（蛍光体名、日本蛍光化学社製）を用い、シリコーンゴムに１．５部分散させ、金型と加熱プレスを用いて肉厚０．５ｍｍの蛍光カラーキャップを成型した。このカラーキャップを発光色がｘ＝０．４６８６、ｙ＝０．５２８２の緑色発光ダイオードに装着したところ、色度座標でｘ＝０．５４５７、ｙ＝０．４５２２の黄みを帯びた拡散橙色光が確認された。
【００９７】
製造例１６
蛍光物質としてＮＫＰ−８３１５（蛍光体名、日本蛍光化学社製）とＮＫＰ−８３０４（蛍光体名、日本蛍光化学社製）を１０：１の割合で混合した。混合物の０．７５部をシリコーンゴムに分散させ、金型と加熱プレスを用いて肉厚０．５ｍｍの蛍光カラーキャップを成型した。このカラーキャップを発光色が色度座標でｘ＝０．１４９０、ｙ＝０．１２０３の青色発光ダイオードに装着させたとろ、色度座標でｘ＝０．３４８６、ｙ＝０．４５９５の緑みを帯びた拡散白光色が確認された。
【００９８】
製造例１７
蛍光物質としてＮＫＰ−８３１５（蛍光体名、日本蛍光化学社製）とＮＫＰ−８３０４（蛍光体名、日本蛍光化学社製）を１０：３の割合で混合した。混合物の０．７５部をシリコーンゴムに分散させ、金型と加熱プレスを用いて肉厚０．５ｍｍの蛍光カラーキャップを成型した。このカラーキャップを発光色が色度座標でｘ＝０．１４９０、ｙ＝０．１２０３の青色発光ダイオードに装着させたところ、色度座標でｘ＝０．４１０７、ｙ＝０．４１９８の黄みを帯びた拡散白色光が確認された。
【００９９】
製造例１８
蛍光物質としてＮＫＰ−８３１５（蛍光体名、日本蛍光化学社製）とＮＫＰ−８３０４（蛍光体名、日本蛍光化学社製）を１０：５の割合で混合した。混合物の０．７５部をシリコーンゴムに分散させ、金型と加熱プレスを用いて肉厚０．５ｍｍの蛍光カラーキャップを成型した。このカラーキャップを発光色が色度座標でｘ＝０．１４９０、ｙ＝０．１２０３の青色発光ダイオードに装着したところ、色度座標でｘ＝０．４４４５、ｙ＝０．４０７０の橙みを帯びた拡散白色発が確認された。
【０１００】
製造例１９
蛍光物質としてＮＫＰ−８３１５（蛍光体名、日本蛍光化学社製）とＮＫＰ−８３０４（蛍光体名、日本蛍光化学社製）を１０：１０の割合で混合した。混合物の０．７５部をシリコーンゴムに分散させ、金型と加熱プレスを用いて肉厚０．５ｍｍの蛍光カラーキャップを成型した。このカラーキャップを発光色が色度座標でｘ＝０．１４９０、ｙ＝０．１２０３の青色発光ダイオードに装着したところ、色度座標でｘ＝０．４６３４、ｙ＝０．３８３９の赤みを帯びた拡散白色光が確認された。
【０１０１】
上記製造例１６乃至製造例１９の拡散発光の結果から明らかなように、種々の蛍光物質を組み合せ、しかも混合割合や濃度を任意に変化せしめることで、発光ダイオードの色調を自由に変化させることができた。
【０１０２】
製造例２０
アクリル樹脂であるアキルペットＭＤ（三菱レイヨン社製）に蛍光物質としてＮＫＰ−８３０６（蛍光体名、日本蛍光化学社製）を１．５部分散させ、金型と加熱プレスを用いて肉厚０．５ｍｍの蛍光カラーキャップを成型した。このカラーキャップを発光色が色度座標でｘ＝０．１４９０、ｙ＝０．１２０３の青色発光ダイオードに装着したところ、実施例１と同様の結果が得られた。
【０１０３】
製造例２１
高密度ポリスチレンである三菱ポリエチ−ＨＤ  ＨＪ３９０（三菱化学社製）に蛍光物質としてＮＫＰ−８３０６（蛍光体名、日本蛍光化学社製）を１．５部分散させ、金型と加熱プレスを用いて肉厚０．５ｍｍの蛍光カラーキャップを成型した。このカラーキャップを発光色が色度座標でｘ＝０．１４９０、ｙ＝０．１２０３の青色発光ダイオードに装着したところ、実施例１と同様の結果が得られた。
【０１０４】
製造例２２
熱可塑性エラストマーとしてスチレン系熱可塑性エラストマーであるセプトン２０４３（クラレ社製）に蛍光物質としてＮＫＰ−８３０６（蛍光体名、日本蛍光化学社製）を１．５部分散させ、金型と加熱プレスを用いて肉厚０・５ｍｍの蛍光カラーキャップを成型した。このカラーキャップを発光色が色度座標でｘ＝０．１４９０、ｙ＝０．１２０３の青色発光ダイオードに装着したところ、実施例１と同様の結果が得られた。
【０１０５】
製造例２３
シリコーンゴムに蛍光物質としてＹＡＧ蛍光体（イットリウム２８．０ｗｔ％、アルミニウム１３．６ｗｔ％、ガドリニウム５６．６２ｗｔ％、セリウム１．２３ｗｔ％）を４０部分散させ、金型と加熱プレスを用いて肉厚０．６ｍｍの蛍光カラーキャップを成型した。
【０１０６】
また青色発光ダイオードとしてはＣＩＥ（国際照明委員会）標準表色系：ＴｈｅＩＣＩ  ｓｔａｎｄａｒｄ  ｃｏｌｏｒｉｍｅｔｒｉｃ  ｓｙｓｔｅｍ（以下、色度座標と呼称する）に従って、色度座標でｘ＝０．１２７５、ｙ＝０．０８８３、輝度２８．９５ｃｄ／ｍ2の青色発光ダイオードを用いた。図６にこの青色発光ダイオードの分光波長を示す。この青色発光ダイオードに前記の蛍光カラーキャップを装着して発光させたところ、色度座標でｘ＝０．３１９２、ｙ＝０．３３７５、輝度が６６．３６ｃｄ／ｍ2の拡散白色光が観測された。このときの分光波長を図７に示す。
【０１０７】
製造例２４
シリコーンゴムに蛍光物質としてＹＡＧ蛍光体（イットリウム２８．０ｗｔ％、アルミニウム１３．６ｗｔ％、ガドリニウム５６．６２ｗｔ％、セリウム１．２３ｗｔ％）を１２．５部分散させて、肉厚０．５ｍｍの弾性シートを作成した。
【０１０８】
青色発光ダイオードとして製造例２３で使用したものを用いて、この青色発光ダイオードから５ｍｍ離れた位置に該弾性シートを装着し、２０ｍＡの電流で発光ダイオードを点灯させた。該弾性シートを通して拡散された光を分光放射輝度計「ＰＲ−７０４」で測定したところ、色度座標でｘ＝０．２６６７、ｙ＝０．２７２５、輝度が１６２９ｃｄ／ｍ2の拡散白色光が観測された。このときの分光波長を図８に示す。
【０１０９】
製造例２５
シリコーンゴムに蛍光物質としてペリレン系集光性蛍光染料である「Ｌｕｍｏｇｅｎ  ＯＲＡＮＧＥ  Ｆ」（ＢＡＳＦ社製）を０．２部分散させ、金型と加熱プレスを用いて肉厚０．５ｍｍの蛍光カラーキャップを成型した。
【０１１０】
また青色発光ダイオードとして製造例２３で使用したものを用いて、この青色発光ダイオードに前記の蛍光カラーキャップを装着して２０ｍＡの電流で発光させたところ、色度座標でｘ＝０．３４０５、ｙ＝０．３２３５、輝度が２．１２４ｃｄ／ｍ2の拡散白色光が観測された。
【０１１１】
製造例２６
シリコーンゴムに蛍光物質としてペリレン系集光性蛍光染料である「Ｌｕｍｏｇｅｎ  Ｙｅｌｌｏｗ  Ｆ」（ＢＡＳＦ社製）を０．２部分散させ、金型と加熱プレスを用いて肉厚０．５ｍｍの蛍光カラーキャップを成型した。
【０１１２】
また青色発光ダイオードとして製造例２３で使用したものを用いて、この青色発光ダイオードに前記の蛍光カラーキャップを装着して２０ｍＡの電流で発光させたところ、色度座標でｘ＝０．１８５９、ｙ＝０．６１０８、輝度が２．７０８ｃｄ／ｍ2の黄緑色光が観測された。
【０１１３】
製造例２７
製造例２３で使用したＹＡＧ蛍光体４０部をシリコーンゴムに配合分散させて、金型と加熱プレスを用い、肉厚０．６ｍｍの蛍光カラーキャップを作成した。この蛍光カラーキャップに透光率８０％以上のシリコーンゴムを用いてレンズ状に成形したキャップを先端部に被せた。この蛍光カラーキャップを青色ＬＥＤに装着し、青色ＬＥＤを２０ｍＡで点灯させて、ＬＥＤの先端部正面から色度座標及び輝度を測定した。測定結果を表２に示す。
【０１１４】
【表２】
0004286935.tif 000003
【０１１５】
蛍光カラーキャップの先端部にレンズを設けることにより、発光色を変化させることなく、正面から発せられる輝度を約１．７倍上げることができた。
【０１１６】
製造例２８
シリコーンゴムに蛍光物質としてＹＡＧ蛍光体（イットリウム２８．０ｗｔ％、アルミニウム１３．６ｗｔ％、ガドリニウム５６．６２ｗｔ％、セリウム１．２３ｗｔ％）を１２．５部分散させ、金型と加熱プレスを用いて肉厚０．６ｍｍの蛍光カラーキャップを成型した。
【０１１７】
青色発光ダイオードとして製造例２３で使用したものを使用し、この青色発光ダイオードに、上記の蛍光カラーキャップを装着して２０ｍＡで発光させたところ、色度座標でｘ＝０．３１９２、ｙ＝０．３３７５、輝度が６６．３６ｃｄ／ｍ2の拡散白色光が観測された。
【０１１８】
一方、シリコーンゴムに赤色の着色剤として縮合アゾ顔料を０．０３部分散させ、金型と加熱プレスを用いて肉厚０．５ｍｍの着色キャップを成型した。
【０１１９】
この着色キャップを、上記蛍光カラーキャップ付きＬＥＤの上にさらに装着して発光させたところ、色度座標でｘ＝０．５９９７、ｙ＝０．３０８１、輝度が９．８１３ｃｄ／ｍ2の拡散赤色光となった。このときの分光波長を図９に示す。
【０１２０】
製造例２９
シリコーンゴムに緑色の着色剤としてフタロシアニングリーンを０．０３部分散させ、金型と加熱プレスを用いて肉厚０．５ｍｍの着色キャップを成型した。
【０１２１】
製造例２８と同様にして、この着色キャップを蛍光カラーキャップ付きＬＥＤの上にさらに装着して発光させたところ、ｘ＝０．２１２７、ｙ＝０．３７０２、輝度が３２．３８ｃｄ／ｍ2の拡散緑色光となった。このときの分光波長を図１０に示す。
【０１２２】
製造例３０
緑色の着色剤の使用量を４０部から８０部にした以外は、製造例２９と同様にして、着色キャップを成型し、これを蛍光カラーキャップ付きＬＥＤの上にさらに装着して発光させたところ、ｘ＝０．１８５９、ｙ＝０．３９７１、輝度が２２．３４ｃｄ／ｍ2の拡散緑色光となった。
【０１２３】
製造例３１
シリコーンゴムに青色の着色剤としてフタロシアニンブルーを０．０３部分散させ、金型と加熱プレスを用いて肉厚０．５ｍｍの着色キャップを成型した。
【０１２４】
製造例２８と同様にして、この着色キャップを蛍光カラーキャップ付きＬＥＤの上にさらに装着して発光させたところ、ｘ＝０．１２３６、ｙ＝０．１５８５、輝度が１０．１９ｃｄ／ｍ2の拡散青色光となった。
【０１２５】
上記製造例２８乃至３１の結果から明らかなように、蛍光カラーキャップを装着して発光色を白色としたＬＥＤに、所望する色の着色剤を含有する着色キャップをさらに装着すれば、所望の発光色を得ることができる。
【０１２６】
製造例３２
シリコーンゴムに蛍光物質としてＹＡＧ蛍光体（イットリウム２８．０ｗｔ％、アルミニウム１３．６ｗｔ％、ガドリニウム５６．６２ｗｔ％、セリウム１．２３ｗｔ％）を４０部と、赤色の着色剤として縮合アゾ顔料を０．０３部とを分散させ、金型と加熱プレスを用いて肉厚０．５ｍｍの着色剤を含有した蛍光カラーキャップを成型した。
【０１２７】
この蛍光カラーキャップを、青色ＬＥＤに装着して発光させたところ、色度座標でｘ＝０．１２７５、ｙ＝０．０８８３、輝度が２．８９５ｃｄ／ｍ2の青色の発光色が、当該キャップ装着後は色度座標でｘ＝０．５２８９、ｙ＝０．２５４２、輝度が０．９２５９ｃｄ／ｍ2の拡散赤色光となった。このときの分光波長を図１１に示す。
【０１２８】
本製造例から明らかなように、蛍光カラーキャップに所望の着色剤を含有させることによっても、所望の発光色を得ることができる。
【０１２９】
製造例３３
シリコーンゴムに蛍光物質としてＹＡＧ蛍光体（イットリウム２８．０ｗｔ％、アルミニウム１３．６ｗｔ％、ガドリニウム５６．６２ｗｔ％、セリウム１．２３ｗｔ％）を２３部分散させて、肉厚０．３５ｍｍの蛍光カラーキャップを作成した。
【０１３０】
青色発光ダイオードとして製造例２３で使用したものを用いて、この青色発光ダイオードに該キャップを装着し、２０ｍＡの電流で発光ダイオードを点灯させて、キャップの先端部分と側面部分とから出る光を前記分光光度計で測定した。結果を表３に示す。
【０１３１】
次に、シリコーンゴムに、蛍光物質としてＹＡＧ蛍光体（イットリウム２８．０ｗｔ％、アルミニウム１３．６ｗｔ％、ガドリニウム５６．６２ｗｔ％、セリウム１．２３ｗｔ％）を１２部分散させた肉厚０．３５ｍｍのシート片を前記キャップの先端部分に装着し、再度色度を分光光度計で測定した。結果を表４に示す。
【０１３２】
上記結果から、キャップ又は被覆層中の蛍光物質の濃度を変化させることにより、キャップ又は被覆層を通して拡散する光の色度を調整できることがわかる。
【０１３３】
【表３】
0004286935.tif 000004
【０１３４】
【表４】
0004286935.tif 000005
【０１３５】
製造例３４
直径３ｍｍの青色ＬＥＤを用いて、ＬＥＤに流す電流値を変化させて、ＬＥＤ発光色を変化させ、かかるＬＥＤに特定量のＹＡＧ蛍光体を含有した蛍光カラーキャップ（肉厚０．６ｍｍ）を装着して、該キャップ装着後の発光色及び輝度を前記分光光度計で測定した。測定治具には積分球を使用した。測定結果を表５に示す。
【０１３６】
表５から、発光色にバラツキがあるＬＥＤであっても、特定量の蛍光物質を含有した蛍光カラーキャップを装着することによって、特定範囲の発光色に調整することができることがわかる。
【０１３７】
【表５】
0004286935.tif 000006
【０１３８】
（７）また、輝度レベル設定用はアップ、ダウンキーの形態に限定されず、回転位置と輝度レベルとが対応するダイヤル式、スライド式等であってもよい。
【０１３９】
【発明の効果】
請求項１記載の発明によれば、供給電力によって輝度が可変される実質的に同一形状を有する少なくとも２以上のLED光源と、前記光源をそれぞれ被覆可能な形状を有し、被覆された光源の発光光をそれぞれ異なる色光に変更するカラーフィルタと、前記複数の光源を覆う半透明の光拡散部材と、前記光源の輝度を個々に設定する輝度設定手段とを備え、前記LED光源の少なくとも１つは白色光以外の光を発光するもので、白色光以外の光を発光する光源を被覆する前記カラーフィルタには、発光光を白色に変えて再発光させる蛍光体が混入された構成としたので、同一形状の各光源に該光源の発光色を種々の色に変換するカラーフィルタを容易に装着することができる。また、異なるカラーフィルタが装着された各光源を半透明拡散部材を介して好適に加法混色された混合色を得ることができる。更に、各光源の輝度をそれぞれ調整可能としたので、種々の合成色で発光する光源と同等な光源を安価かつ簡易な構造で得ることができる。さらに、この構成によれば、このように異なる色の光源が採用されている場合でも、これらの光源の色を同一色に戻した後、所望の混合色を得るようにしたので、同一光源に拘束される必要がなくなり、同一色の光源の入手が困難な場合であっても充分適用可能となる。
【０１４０】
請求項２記載の発明によれば、同一形状のカラーフィルタを所望する種類だけ製造、準備しておけば、必要に応じていつでも交換が可能となり、必要時あるいは適用商品に応じて容易に所望の混合色を得ることができる。
【０１４１】
請求項３記載の発明によれば、カラーフィルタをオルガノシロキサンポリマーと着色材とが主構成として混合された成形体としたので、光源の形状に合った装着可能なキャップ形状のものを容易に製造することができる。
【０１４２】
請求項４記載の発明によれば、輝度設定手段で調整することで必要に応じて所望する混合色を得ることが可能となる一方、好ましい混合色を得る各光源の輝度内容を記憶し、登録しておくことで、調整条件をその都度設定することなく容易に再現することが可能となり、調整作業、操作を省略することができ、高い汎用性が得られる。しかも、マニュアル調色と登録内容の再生調色の双方を可能とするので実用性の高い装置を提供できる。
【０１４３】
請求項５記載の発明によれば、複数組分の混合色に対する設定内容を登録し、かつ各組毎にこれらを読み出して再生可能としたので、所望する混合色を必要に応じて容易に再生することができる。
【０１４４】
請求項６記載の発明によれば、各混合色に対応乃至は一致する色を参照表示することで、設定登録時には調整途中の色を参照しながら調整することで所望の混合色を容易に得ることができ、調整作業を容易に行うことができる。さらに、再生に際しても参照色を確認することで誤りなく目的の色の再生が容易、確実にできる。
【０１４５】
請求項７記載の発明によれば、適用される商品との関係では混合色が一定である他、時間方向に変化するような設定が可能であり、これによりより多彩な照明装置に適用することができ、適用商品の幅を広げることができる。
【０１４６】
請求項８記載の発明によれば、混合色の全体輝度を適宜調整し得るので、周囲の明るさ等に応じて混合色事態を変更することなく、全体輝度のみ変更することができる。
【０１４７】
請求項９記載の発明によれば、光源としては同じ色光、特には同一品を採用することができるので、その分コスト面、管理面で好適となる。
【０１４８】
また、請求項１０記載の発明によれば、異なる色の光源が採用されている場合でも、これらの光源の色を同一色に戻した後、所望の混合色を得るようにしたので、同一光源に拘束される必要がなくなり、同一色の光源の入手が困難な場合であっても充分適用可能となる。
【図面の簡単な説明】
【図１】本発明に係る調色照明装置の第１実施形態を示す装置外観図で、（ａ）は内部の概略構造を説明するための図、（ｂ）は装置本体の前面に設けられた操作パネル部及び各可変抵抗器の可動片を示す図である。
【図２】本発明に係る調色照明装置の第２実施形態を示す外観図である。
【図３】第２実施形態の回路ブロック図である。
【図４】本発明に係る調色照明装置の第３実施形態を示す装置外観図で、（ａ）は内部の概略構成を説明するための図、（ｂ）は装置本体の前面に設けられた操作パネル部の構造を示す図である。
【図５】第３実施形態の回路ブロック図である。
【図６】本発明に係る調色照明装置の第４実施形態を示す装置外観図で、（ａ）は配置の概略構成を説明するための図、（ｂ）は操作パネル部の構造を示す図である。
【符号の説明】
１，２１，３１，４１  半透明拡散カバー
２  支持部材
２２，３２  支持スタンド
３Ｒ，２３Ｒ，３３Ｒ，４３Ｒ  赤色の光源
３Ｇ，２３Ｇ，３３Ｇ，４３Ｇ  緑色の光源
３Ｂ，２３Ｂ，３３Ｂ，４３Ｂ  青色の光源
１３Ｒ，１２３Ｒ，１３３Ｒ，１４３Ｒ  赤色のカラーフィルタ
１３Ｇ，１２３Ｇ，１３３Ｇ，１４３Ｇ  緑色のカラーフィルタ
１３Ｂ，１２３Ｂ，１３３Ｂ，１４３Ｂ  青色のカラーフィルタ
２４，３４  制御部
５，６，７  可変抵抗器
１５，１６，１７  可動子
２４１，３４１  加減算部
２４２  モード判定部
２４４，３４４  タイマ
２４５，３４５  メモリ
２４７，３４７  判定部
２４８，３４８  メモリ制御部
２５，３５，４５  操作パネル
２６，３６  操作部
２７，３７  表示部
２８，３８  出力調整部
２６１Ｕ，２６２Ｕ，２６３Ｕ，３６１Ｕ，３６２Ｕ，３６３Ｕ，２６６Ｕ，４６１Ｕ，４６２Ｕ，４６３Ｕ，４６６Ｕ  アップキー
２６１Ｄ，２６２Ｄ，２６３Ｄ，３６１Ｄ，３６２Ｄ，３６３Ｄ，２６６Ｄ，４６１Ｄ，４６２Ｄ，４６３Ｄ，４６６Ｄ  ダウンキー
２７１，２７２，２７３，２７４，３７１，３７２，３７３，４７１，４７２，４７３  ＬＣＤ（参照表示部）
２６４  モードセレクトスイッチ
２６５  確定スイッチ
８，２６９，３６９，４６９  電源スイッチ
，３６４１，３６４２，３６４３，４６４１，４６４２，４６４３  チャネルスイッチ
３６４４，４６４４  登録スイッチ
３５１，４５１  リモコン受信部
４９１．４９２，４９３  ユニット選択スイッチ
【図１】
0004286935.tif 000007
【図２】
0004286935.tif 000008
【図３】
0004286935.tif 000009
【図４】
0004286935.tif 000010
【図５】
0004286935.tif 000011
【図６】
0004286935.tif 000012